(57)【要約】【課題】扉体の外表面に取り付けた表示部あるいは操作部を、自動販売機本体の内部ユニットの操作を行いながら容易に観察し操作することのできる自動販売機の筐体構造を提供する。【解決手段】自動機本体を収納する箱形の筐体１３と、該筐体の一面に形成した開口と、該開口が形成する開口面を閉塞する扉体９１と、該扉体の外表面に形成した操作部３および表示部４の取り付け部を備え、前記外表面に取り付けた操作部を操作して前記自動機本体を調整可能とした自動機の筐体構造において、前記扉体９１は、該扉体の一方の辺を前記開口面に沿って摺動させるスライドピン１１と、その一方端を前記開口の一方の辺を軸として回転可能に取り付け、その他方端を前記扉体の中央部に回転可能に取り付けたステー１０を備え、前記扉体は、前記スライドピンを中心にして前記操作部および表示部を備えた外表面を前記筐体の内側に向けて回転可能である。【選択図】図２
2008021019.tif 000002
【特許請求の範囲】
【請求項１】
自動機本体を収納する箱形の筐体と、該筐体の一面に形成した開口と、該開口が形成する開口面を閉塞する扉体と、該扉体の外表面に形成した操作部および表示部の取り付け部を備え、前記外表面に取り付けた操作部を操作して前記自動機本体を調整可能とした自動機の筐体構造において、
前記扉体は、該扉体の一方の辺を前記開口面に沿って摺動させるスライドピンと、その一方端を前記開口の一方の辺を軸として回転可能に取り付け、その他方端を前記扉体の中央部に回転可能に取り付けたステーを備え、
前記扉体は、前記スライドピンを中心にして前記操作部および表示部を備えた外表面を前記筐体の内側に向けて回転可能であることを特徴とする自動機の筐体構造。
【請求項２】
請求項１記載の自動機の筐体構造において、
前記筐体に形成した開口の対向する辺にはそれぞれ溝を備え、該それぞれの溝に前記スライドピンの端部をそれぞれ係合したことを特徴とする自動機の筐体構造。
【請求項３】
請求項１記載の自動機の筐体構造において、
前記ステーは前記開口の上端および下端にそれぞれ取り付け、前記スライドピンに平行する前記軸の周りで回転可能であることを特徴とする自動機の筐体構造。
【請求項４】
請求項２記載の自動機の筐体構造において、
前記スライドピンは前記溝と着脱自在に係合していることを特徴とする自動機の筐体構造。  
【請求項５】
請求項１記載の自動機の筐体構造において、  
前記自動機本体と前記操作部および表示部を接続するケーブルは前記ステー部分で保持することを特徴とする自動機の筐体構造。
【発明の詳細な説明】
【技術分野】
【０００１】
本発明は、自動販売機等の自動機の筐体構造に係り、特に、扉体の外表面に操作部および表示部を取り付け、前記操作部を操作して自動販売機本体を調整可能とした自動販売機の筐体構造に関する。
【背景技術】
【０００２】
自動販売機は、通常、自動販売機本体を収納する箱形の筐体と、該筐体に取り付けた扉体を備える。また、前記扉体の外表面には、操作部および表示部を取り付けている。自動販売機本体の保守あるいは点検の際、操作員は、前記扉体を開いて、前記自動販売機本体を構成する内部ユニットを引き出して、内部ユニットの操作を行いながら、扉体の外表面に取り付けた前記操作部を操作し、あるいは前記表示部の表示を観察することが必要となる。
【０００３】
しかしながら、前述のような筐体構造を備える自動販売機では、扉体を開いた状態で、内部ユニットの操作を行ないながら、表示を観察したり操作したりすることができない。このような操作が必要とされる場合には、扉体を開閉操作するか、操作員が扉の裏側（外表面側）に回りこむ必要があり、保守あるいは点検作業に不便である。
【０００４】
特許文献１には、扉体を開いた場合においても、前記表示部あるいは操作部を、内部ユニットの操作を行いながら観察し、操作することのできる位置に残すことのできる筐体構造が開示されている。
【特許文献１】特開平７−３７１２４  号公報
【発明の開示】
【発明が解決しようとする課題】
【０００５】
特許文献１記載の筐体構造によれば、筐体に取り付けた扉体を開いた状態においても、前記表示部あるいは操作部を、内部ユニットの操作を行いながら観察し、操作することのできる位置に残すことができる。
【０００６】
しかしながら、この筐体構造においても、前記表示部あるいは操作部の後側（真後ろ）に実装されている内部ユニットを引出して操作するような場合には、前記表示部あるいは操作部を回転移動させる等の操作が必要であり、このような操作を行った場合には、前述と同様に内部ユニットの操作を行いながら、表示部を観察しあるいは操作部を操作することは困難となる。
【０００７】
本発明は、これらの問題点に鑑みてなされたもので、扉体の外表面に取り付けた表示部あるいは操作部を、自動販売機本体の内部ユニットの操作を行いながら容易に観察し操作することのできる自動販売機の筐体構造を提供するものである。
【課題を解決するための手段】
【０００８】
本発明は上記課題を解決するため、次のような手段を採用した。
【０００９】
自動機本体を収納する箱形の筐体と、該筐体の一面に形成した開口と、該開口が形成する開口面を閉塞する扉体と、該扉体の外表面に形成した操作部および表示部の取り付け部を備え、前記外表面に取り付けた操作部を操作して前記自動機本体を調整可能とした自動機の筐体構造において、前記扉体は、該扉体の一方の辺を前記開口面に沿って摺動させるスライドピンと、その一方端を前記開口の一方の辺を軸として回転可能に取り付け、その他方端を前記扉体の中央部に回転可能に取り付けたステーを備え、前記扉体は、前記スライドピンを中心にして前記操作部および表示部を備えた外表面を前記筐体の内側に向けて回転可能である。
【発明の効果】
【００１０】
本発明は、以上の構成を備えるため、扉体の外表面に取り付けた表示部あるいは操作部を、自動販売機本体の内部ユニットの操作を行いながら容易に観察し、操作することができる。
【発明を実施するための最良の形態】
【００１１】
以下、最良の実施形態を添付図面を参照しながら説明する。 図１、２は、本実施形態にかかる自動販売機を説明する図であり、図１は自動販売機を後面から見た図、図２は自動販売機の後扉９を構成する扉体９１を開いた図である。これらの図において、１は自動販売機、２は表示部、３は操作部である。なお、前記表示部２および操作部３はタッチパネル等により一体に形成することができる。
【００１２】
前記表示部２および操作部３は、前記扉体９１を閉じた状態において筐体の外側を向くように前記扉体９１の外表面に取り付けてある。
【００１３】
１３は自動販売機本体を収納する筐体である。この筐体内には、利用者が挿入したＩＣカード等のカードを読み取るカード読み取りユニット５、利用者との間で硬貨受け取りあるいは払い出しを行う硬貨取り扱いユニット７、紙幣の受け取りあるいは払い出しを行う紙幣取り扱いユニット８、乗車券等を発券する発券ユニット６、およびこれらの内部ユニットを制御する制御ユニット４を備える。
【００１４】
１０は、筐体１３と扉体９１とを連結するステーであり、図２に示すように扉体９１は、後述するように、前記ステーを介して、扉体の外表面（前記表示部２および操作部３が取り付けられている面）を前記内部ユニットが装着されている側に向けた状態で開くことができる。
【００１５】
図３、４，５，６は、扉体９１の開閉機構を説明する図であり、図３は扉体９１が全閉状態にあるとき、図４は扉体９１が２０°開いた状態にあるとき、図５は扉体９１が４５°開いた状態にあるとき、図６は扉体９１が９０°開いた状態にあるときを示している。
【００１６】
図３，４，５，６に示すように、扉体９１と筐体１３は、扉体９１の左端部上下に取付けられたスライドピン１１、および扉体９１の中心付近に取付けられた支点ピン１２と筐体１３に取り付けた回転軸１４とを連結するステー１０を介して結合されている。
【００１７】
なお、前記スライドピン１１の上端および下端は前記箱形の筐体１３の後面に形成した開口９２の上辺および下辺に形成した溝（あるいはレール）部にそれぞれ係合して、扉体の左辺を左右にスライド可能に支持する。また、前記ステーは１０は、その一方端（図では右側端）を前記開口９２の右辺（右辺の近傍を含む）側の筐体に取り付けられた回転軸１４に回転可能に取り付け、その他方端（図では左側端）を前記扉体９１の中央部に支持ピン１２を介して回転可能に取り付ける。
【００１８】
扉９を開ける際には、扉体９１に取り付けたステー１０が、開口部右端に設けた回転軸１４を中心として反時計方向に回転する。このとき、ステー１０の左側端に結合されている扉体９１の中央部が支点ピン１２部分を軸として回転し、扉体９１は、筐体１３から離れる方向へ動く。
【００１９】
同時に扉体９１の左端部上下に取付けられたスライドピン１１が前記開口９２の上辺および下辺に形成した溝（あるいはレール）部を右方向に摺動する。
【００２０】
すなわち、扉体９１の右端が筐体１３の側面稜線の延長方向にせり出して来るような動きとなり、表示部２および操作部３を操作員の立ち位置方向に向けたままの状態で扉の開放を実現することができる。  
本実施形態によれば、このように、表示部２および操作部３を操作員の立ち位置方向に向けたままの状態で扉を開放することができる。これにより、操作員は、表示部２の表示内容の確認あるいは操作部３からの入力操作等を行ないながら、筐体内部に実装されている制御ユニット４、カード読み取りユニット５、発券ユニット６、硬貨取り扱いユニット７、紙幣取り扱いユニット８の試験あるいは媒体の装填・回収操作などの保守点検作業を行なうことが可能になる。
【００２１】
なお、本実施形態の自動販売機においては、扉体９１の外表面に表示部２および操作部３などを実装する。このため、自動販売機本体と前記表示部２および操作部３を電気的に接続するケーブル等が必要となる。このようなケーブルは、例えば、筐体１３と扉体９１が常に接している点、すなわち、扉体９１の左端部上下に取付けられたスライドピン１１の周辺部分を経由して接続することができる。また、筐体１３と扉体９１がステー１０を介して接している点、すなわち、ステーの周辺部分を経由して接続することができる。
【００２２】
このように、扉体９１の左端部上下に取付けられたスライドピン１１の周辺部分、あるいはステー１０を経由して接続することにより、特殊な接続装置を用いることなく接続を実現することができる。
【００２３】
図７は、扉体９１を９０°以上開くことができるようにした開閉機構を説明する図であり、図７（ｂ）は、図７（ａ）におけるスライドピン１１の近傍を拡大して示す図である。また、図８は、扉体９１を１４５°開いた状態を説明する図である。
【００２４】
すなわち、図７（ｂ）に示すように、開口９２の上辺および下辺に形成した溝（あるいはレール）部１５の、前記回転軸１４の近傍を回転軸１４を中心にして湾曲して湾曲部１５ａを形成する。
【００２５】
前記溝部をこのように形成することにより、扉体９１の開角度がほぼ９０度になったところで、前記スライドピン１１は前記湾曲して形成した溝部（湾曲部）に沿って回転移動することができる。これにより、図７に示すように、扉体９１をさらに大きく開かせることができる。このため、たとえば発券した用紙が発券ユニット６内に詰まるなどのトラブルが発生した場合、発券ユニット６を引出して、詰まった用紙を除去する等の作業を容易に実施することが可能である。また、本実施形態では自動券売機を例に説明したが、自動販売機、現金自動取引装置等の自動機に適用することができる。
【００２６】
なお、ステー１０として平板を使用し、扉体９１のスライドピン１１が開口９２の上辺および下辺に形成した溝部にそれぞれ係合しする例を説明したが、前記扉体の動きを代替する機構であれば他の機構を採用することができる。また、スライドピン１１と開口９２の上辺および下辺に形成した溝部との係合を切離せる構造にすることで、ステー１０の支点ピン１２を中心として扉の角度を自由に変更する機能を実現することができる。
【００２７】
以上説明したように、本実施形態によれば、扉を開けた場合でも、表示部および操作部が操作員のほうを向いていることになり、扉を閉じているときと同様に画面確認および入力操作が可能となる。また、筺体内に収納されたユニットを操作しながら画面表示確認および操作が可能となり利便性が向上する。また、表示部の操作員の方を向く角度を調整することができる。
【図面の簡単な説明】
【００２８】
【図１】自動販売機を後面から見た図である。
【図２】自動販売機の後扉を構成する扉体を開いた図である。
【図３】扉体が全閉状態にあるときを示す図である。
【図４】扉体が２０°開いた状態にあるときを示す図である。
【図５】扉体が４５°開いた状態にあるときを示す図である。
【図６】扉体が９０°開いた状態にあるときを示す図である。
【図７】扉体を９０°以上開くことができるようにした開閉機構を示す図である。
【図８】扉体を１４５°開いた状態を示す図である。
【符号の説明】
【００２９】
１  自動機
２  表示部
３  操作部
４  制御部
５  カード読み取りユニット
６  発券ユニット
７  硬貨取り扱いユニット
８  紙幣取り扱いユニット
９  後扉
１０  ステー
１１  スライドピン
１２  支持ピン
１３  筐体
１４  回転軸
１５  溝部
９１  扉体
【図１】
2008021019.tif 000003
【図２】
2008021019.tif 000004
【図３】
2008021019.tif 000005
【図４】
2008021019.tif 000006
【図５】
2008021019.tif 000007
【図６】
2008021019.tif 000008
【図７】
2008021019.tif 000009
【図８】
2008021019.tif 000010